(57)【要約】【課題】建築設備に用いられる資機材を管理する際の管理負荷を低減させる。【解決手段】登録プログラムであって、資機材を、所定の建築設備に取り付け、該建築設備の一部として機能させるまでの複数の作業工程のうち、１の作業工程を選択する選択手順と、選択された前記作業工程に応じた読取手段によって、前記資機材に貼り付けられた識別部材より読み取られた、前記資機材を識別するための識別情報を取得する取得手順と、選択された前記作業工程を示す情報を、取得された前記識別情報と対応付けて、前記資機材を管理するサーバ装置に送信する送信手順とをコンピュータに実行させる。【選択図】図１３
2019016016.tif 000002
【特許請求の範囲】
【請求項１】
資機材を、所定の建築設備に取り付け、該建築設備の一部として機能させるまでの複数の作業工程のうち、１の作業工程を選択する選択手順と、
選択された前記作業工程に応じた読取手段によって、前記資機材に貼り付けられた識別部材より読み取られた、前記資機材を識別するための識別情報を取得する取得手順と、
選択された前記作業工程を示す情報を、取得された前記識別情報と対応付けて、前記資機材を管理するサーバ装置に送信する送信手順と
をコンピュータに実行させる登録プログラム。
【請求項２】
前記作業工程が選択された場合に、該選択された作業工程に応じた表示画面を表示し、前記識別情報が取得された場合に、該表示画面に、取得された前記識別情報を表示する表示手順を更に前記コンピュータに実行させる、請求項１に記載の登録プログラム。
【請求項３】
前記表示手順は、更に、前記作業工程における前記資機材の位置を示す情報を表示し、
前記送信手順は、更に、前記資機材の位置を示す情報を、前記サーバ装置に送信する、請求項２に記載の登録プログラム。
【請求項４】
前記読取手段は、前記資機材に貼り付けられた識別部材を撮影した撮影画像に基づいて、前記識別情報を読み取ることを特徴とする請求項１乃至３のいずれか１項に記載の登録プログラム。
【請求項５】
前記読取手段は、前記資機材に貼り付けられた識別部材との間の近距離無線通信によって、前記識別情報を読み取ることを特徴とする請求項１乃至３のいずれか１項に記載の登録プログラム。
【請求項６】
資機材を、所定の建築設備に取り付け、該建築設備の一部として機能させるまでの複数の作業工程のうち、１の作業工程を選択する選択手段と、
選択された前記作業工程に応じた読取手段によって、前記資機材に貼り付けられた識別部材より読み取られた、前記資機材を識別するための識別情報を取得する取得手段と、
選択された前記作業工程を示す情報を、取得された前記識別情報と対応付けて、前記資機材を管理するサーバ装置に送信する送信手段と
を有することを特徴とする携帯端末。
【請求項７】
資機材を、所定の建築設備に取り付け、該建築設備の一部として機能させるまでの複数の作業工程のうち、１の作業工程を選択する選択手順と、
選択された前記作業工程に応じた読取手段によって、前記資機材に貼り付けられた識別部材より読み取られた、前記資機材を識別するための識別情報を取得する取得手順と、
選択された前記作業工程を示す情報を、取得された前記識別情報と対応付けて、前記資機材を管理するサーバ装置に送信する送信手順と
を有することを特徴とする登録方法。
【請求項８】
資機材を、所定の建築設備に取り付け、該建築設備の一部として機能させるまでの複数の作業工程のうちの、少なくとも１の作業工程と対応付けられた携帯端末と通信するサーバ装置であって、
前記携帯端末において取得された前記資機材を識別する識別情報と、該携帯端末に対応付けられた作業工程を示す情報とを、該携帯端末より受信する受信手段と、
前記資機材を識別する識別情報に対して、異なる作業工程を示す情報を受信した場合に、該異なる作業工程を示す情報それぞれを、該資機材を識別する識別情報と対応付けて格納する格納手段と、
前記格納手段に格納された前記異なる作業工程を示す情報のうち、受信したタイミングが最も遅い情報を、前記資機材を識別する識別情報と対応付けて一覧画面として表示するよう制御する表示制御手段と
を有することを特徴とするサーバ装置。
【請求項９】
前記表示制御手段は、前記一覧画面において前記資機材を識別する識別情報が指定された場合に、該指定された識別情報に対応付けて格納された前記異なる作業工程を示す情報それぞれを表示するよう制御することを特徴とする請求項８に記載のサーバ装置。
【請求項１０】
資機材を、所定の建築設備に取り付け、該建築設備の一部として機能させるまでの複数の作業工程のうちの、少なくとも１の作業工程と対応付けられた携帯端末と通信するサーバ装置のコンピュータに、
前記携帯端末において取得された前記資機材を識別する識別情報と、該携帯端末に対応付けられた作業工程を示す情報とを、該携帯端末より受信する受信手順と、
前記資機材を識別する識別情報に対して、異なる作業工程を示す情報を受信した場合に、該異なる作業工程を示す情報それぞれを、該資機材を識別する識別情報と対応付けて格納する格納手順と、
前記格納手順において格納された前記異なる作業工程を示す情報のうち、受信したタイミングが最も遅い情報を、前記資機材を識別する識別情報と対応付けて一覧画面として表示するよう制御する表示制御手順と
を実行させる管理プログラム。
【請求項１１】
資機材を、所定の建築設備に取り付け、該建築設備の一部として機能させるまでの複数の作業工程のうちの、少なくとも１の作業工程と対応付けられた携帯端末と通信するサーバ装置による管理方法であって、
前記携帯端末において取得された前記資機材を識別する識別情報と、該携帯端末に対応付けられた作業工程を示す情報とを、該携帯端末より受信する受信手順と、
前記資機材を識別する識別情報に対して、異なる作業工程を示す情報を受信した場合に、該異なる作業工程を示す情報それぞれを、該資機材を識別する識別情報と対応付けて格納する格納手順と、
前記格納手順において格納された前記異なる作業工程を示す情報のうち、受信したタイミングが最も遅い情報を、前記資機材を識別する識別情報と対応付けて一覧画面として表示するよう制御する表示制御手順と
を有することを特徴とする管理方法。
【発明の詳細な説明】
【技術分野】
【０００１】
本発明は、登録プログラム、携帯端末、登録方法、サーバ装置、管理プログラム及び管理方法に関する。
【背景技術】
【０００２】
オフィスビルや工場等に納入される建築設備（例えば、空調システムや排煙設備等）には、多数の資機材が用いられる。一般に、これらの資機材は、部品業者によって製作され、工事業者によって現場に取り付けられた後、システム納入業者によって試運転が行われる。つまり、建築設備の一部として機能させるまでの間に、資機材は種々の作業工程を経ることになる。
【０００３】
このため、システム納入業者は、建築設備を納入するまでの間、各資機材がいずれの作業工程にあるのかを管理しておくことが求められる。
【先行技術文献】
【特許文献】
【０００４】
【特許文献１】特開２００５−１０８０１５号公報
【特許文献２】特開２０１７−０４６０８５号公報
【非特許文献】
【０００５】
【非特許文献１】“ＩｏＴ、ＣＰＳを活用したスマート建設生産システム”、［online］、２０１６年３月３日、産業競争力懇談会ＣＯＣＮ、［平成２９年６月３０日検索］、インターネット（URL：http://www.cocn.jp/thema85-L.pdf）
【非特許文献２】“ＭＡＮＩＣＡタッチレンタルＮＦＣカスタマイズ導入事例”、［online］、Ｈａｙａｔｏ  Ｉｎｆｏｒｍａｔｉｏｎ、［平成２９年６月３０日検索］、インターネット（URL：http://www.hayato.info/home/jirei_kajima.htm）
【発明の概要】
【発明が解決しようとする課題】
【０００６】
しかしながら、建築設備に用いられる資機材の数は膨大であり、資機材ごとに作業工程を管理しようとすると、システム納入業者等には高い管理負荷がかかることになる。
【０００７】
本発明は上記課題に鑑みてなされたものであり、建築設備に用いられる資機材を管理する際の管理負荷を低減させることを目的とする。
【課題を解決するための手段】
【０００８】
本発明の各実施形態に係る登録プログラムは、以下のような構成を有する。すなわち、
資機材を、所定の建築設備に取り付け、該建築設備の一部として機能させるまでの複数の作業工程のうち、１の作業工程を選択する選択手順と、
選択された前記作業工程に応じた読取手段によって、前記資機材に貼り付けられた識別部材より読み取られた、前記資機材を識別するための識別情報を取得する取得手順と、
選択された前記作業工程を示す情報を、取得された前記識別情報と対応付けて、前記資機材を管理するサーバ装置に送信する送信手順とをコンピュータに実行させる。
【発明の効果】
【０００９】
本発明の各実施形態によれば、建築設備に用いられる資機材を管理する際の管理負荷を低減させることができる。
【図面の簡単な説明】
【００１０】
【図１】複数の資機材を建築設備に取り付け、当該建築設備の一部として機能させるまでの作業工程の一例を示す図である。
【図２】各作業工程における登録処理の概要を示す図である。
【図３】資機材に貼り付けられる識別部材の一例を示す図である。
【図４】資機材に貼り付けられる識別部材の他の一例を示す図である。
【図５】資機材に貼り付けられる識別部材の他の一例を示す図である。
【図６】識別部材の資機材への貼り付け方法を示す図である。
【図７】登録処理を実現する管理システムのシステム構成の一例を示す図である。
【図８】管理システムにおいて実行される処理の流れを示すシーケンス図である。
【図９】サーバ装置に格納される管理データの一例を示す図である。
【図１０】サーバ装置に格納されるＢＩＭデータの一例を示す図である。
【図１１】サーバ装置及びスマートフォンのハードウェア構成の一例を示す図である。
【図１２】サーバ装置及びスマートフォンの機能構成の一例を示す図である。
【図１３】実績登録フェーズにおいて実行される出荷登録処理の流れを示すシーケンス図である。
【図１４】スマートフォンに表示される出荷登録画面の一例を示す図である。
【図１５】実績登録フェーズにおいて実行される受取完了登録処理の流れを示すシーケンス図である。
【図１６】スマートフォンに表示される受取完了登録画面の一例を示す図である。
【図１７】実績登録フェーズにおいて実行される仮置完了登録処理の流れを示すシーケンス図である。
【図１８】スマートフォンに表示される仮置完了登録画面の一例を示す図である。
【図１９】スマートフォンに表示される取付完了登録画面の一例を示す図である。
【図２０】スマートフォンに表示される検査完了登録画面の一例を示す図である。
【図２１】スマートフォンに表示される試運転完了登録画面の一例を示す図である。
【図２２】サーバ装置に格納される実績登録データの一例を示す図である。
【図２３】サーバ装置による閲覧処理の流れを示すフローチャートである。
【図２４】サーバ装置による履歴画面表示処理の流れを示すフローチャートである。
【図２５】一覧画面の一例を示す図である。
【図２６】履歴画面の一例を示す図である。
【発明を実施するための形態】
【００１１】
以下、各実施形態の詳細について添付の図面を参照しながら説明する。なお、各実施形態に係る明細書及び図面の記載に際して、実質的に同一の機能構成を有する構成要素については、同一の符号を付することにより重複した説明を省く。
【００１２】
［第１の実施形態］
＜作業工程の流れ＞
はじめに、オフィスビルや工場等に建築設備を納入するまでの作業工程（当該建築設備に用いられる複数の資機材を、当該建築設備に取り付け、当該建築設備の一部として機能させるまでの作業工程）の流れについて説明する。なお、建築設備とは、建築物に設ける電気、ガス、給水、排水、換気、暖房、冷房、消火、排煙もしくは汚物処理の設備または煙突、昇降機もしくは避雷針を指し、一例として空調システムや排煙設備等が挙げられる。
【００１３】
図１は、複数の資機材を建築設備に取り付け、当該建築設備の一部として機能させるまでの作業工程の一例を示す図である。なお、図１に示すように、本実施形態では、各作業工程を実行する実行主体を、部品業者１１０と、システム納入業者１２０と、工事業者１３０とに大別している。本実施形態では、システム納入業者１２０は、空調システムや排煙設備等の建築設備を設計、施工する建築設備業者である。
【００１４】
ステップＳ１０１において、システム納入業者１２０は、管理データとＢＩＭ（Building  Information  Modeling）データとを作成する事前作業を行う。管理データとは、複数の資機材がいずれの作業工程にあるのかを管理するために、システム納入業者が事前に準備するデータである。ＢＩＭデータとは、３次元建物情報モデルを３次元ＣＡＤで作成し、建築設備の設計、施工、維持管理において利用するデータである。本実施形態において、ＢＩＭデータは建築設備の維持管理において利用される。空調システムや排煙設備が設置される建築物のＢＩＭデータは、ゼネコン等の建築物の設計業者から提供される。空調システムや排煙設備のＢＩＭデータは、建築設備業者であるシステム納入業者１２０が３次元ＣＡＤシステムを操作することにより作成される。システム納入業者１２０が作成するＢＩＭデータには空調システムや排煙設備に利用される資機材の属性情報が含まれている。この属性情報をもとに、空調システムや排煙設備が施工される現場に取り付けられる資機材の一覧表が作成され、管理データとして作成される。
【００１５】
このように、発注作業を行う前に、現場ごとの管理データを作成することで、システム納入業者１２０は、多重発注を防止することができる。
【００１６】
ステップＳ１０２において、システム納入業者１２０は、管理データに登録した資機材を、部品業者１１０に発注する発注作業を行う。
【００１７】
ステップＳ１０３において、部品業者１１０は、システム納入業者から発注された資機材を製作する製作作業を行う。資機材の製作が完了すると、部品業者１１０は、各資機材を識別する識別情報が含まれる識別部材を各資機材に貼り付ける。
【００１８】
ステップＳ１０４において、部品業者１１０は、各資機材を出荷する出荷作業を行う。部品業者１１０は、各資機材の出荷に際して、各資機材に貼り付けられた識別部材より、各資機材を識別する識別情報を読み取り、システム納入業者１２０が有するサーバ装置に登録する出荷登録処理を行う。これにより、システム納入業者１２０は、部品業者１１０による各資機材の出荷が完了したことを管理することができる。
【００１９】
ステップＳ１０５において、システム納入業者１２０は、部品業者１１０によって出荷された各資機材を倉庫等にて受け取る受取作業を行う。システム納入業者１２０は、各資機材の受け取りに際して、各資機材に貼り付けられた識別部材より、各資機材を識別する識別情報を読み取り、システム納入業者１２０が有するサーバ装置に登録する受取完了登録処理を行う。これにより、システム納入業者１２０は、システム納入業者１２０による各資機材の受け取りが完了したことを管理することができる。
【００２０】
ステップＳ１０６において、工事業者１３０は、システム納入業者１２０が受け取った各資機材を、現場近くの仮置き場に移動させる仮置作業を行う。なお、本実施形態において、「現場」とは、建築設備が納入される納入先（例えば、オフィスビル等）を指すものとする。工事業者１３０は、各資機材を仮置き場に移動させた後に、各資機材に貼り付けられた識別部材より、各資機材を識別する識別情報を読み取り、システム納入業者１２０が有するサーバ装置に登録する仮置完了登録処理を行う。これにより、システム納入業者１２０は、工事業者１３０による各資機材の仮置作業が完了したことを管理することができる。
【００２１】
ステップＳ１０７において、工事業者１３０は、仮置き場に移動させた各資機材を、建築設備を納入する現場に搬入し、所定の取り付け位置に取り付ける取付作業を行う。各資機材を所定の取り付け位置に取り付けると、工事業者１３０は、各資機材に貼り付けられた識別部材より、各資機材を識別する識別情報を読み取り、システム納入業者１２０が有するサーバ装置に登録する取付完了登録処理を行う。これにより、システム納入業者１２０は、工事業者１３０による各資機材の取付作業が完了したことを管理することができる。
【００２２】
ステップＳ１０８において、システム納入業者１２０は、各資機材が所定の取り付け位置に正しく取り付けられているか否かを検査する検査作業を行う。システム納入業者１２０は、資機材が所定の取り付け位置に正しく取り付けられていることを確認する検査作業を行う際に、当該資機材に貼り付けられた識別部材より、当該資機材を識別する識別情報を読み取る。次いで、システム納入業者１２０は、読み取った識別情報をサーバ装置に登録する検査完了登録処理を行う。これにより、システム納入業者１２０は、検査作業が完了したことを管理することができる。
【００２３】
ステップＳ１０９において、システム納入業者１２０は、各資機材が、建築設備の一部として正しく機能するか否かを確認する試運転作業を行う。システム納入業者１２０は、試運転において各資機材が正しく機能していることを確認した場合、各資機材に貼り付けられた識別部材より、各資機材を識別する識別情報を読み取り、システム納入業者１２０が有するサーバ装置に登録する試運転完了登録処理を行う。これにより、システム納入業者１２０は、試運転作業が完了したことを管理することができる。
【００２４】
このように、本実施形態では、各作業工程において作業が完了すると、各作業工程の実行主体となる業者が、各作業工程において取り扱われた資機材に貼り付けられた識別部材より、当該資機材を識別する識別情報を読み取る。そして、各作業工程の実行主体となる業者が、システム納入業者１２０が有するサーバ装置に登録する登録処理を行う。これにより、システム納入業者１２０は、登録された識別情報を参照するだけで、各資機材がいずれの作業工程にあるのかを容易に管理することができる。つまり、本実施形態によれば、建築設備に用いられる資機材を管理する際の管理負荷を低減させることができる。
【００２５】
＜各作業工程における登録処理の概要＞
次に、各作業工程において、各作業工程の実行主体となる業者によって行われる登録処理の概要について説明する。図２は、各作業工程における登録処理の概要を示す図である。
【００２６】
図２に示すように、識別情報をサーバ装置に登録するにあたり、各作業工程の実行主体となる業者（部品業者１１０、システム納入業者１２０、工事業者１３０）はスマートフォン２１０を用いる。
【００２７】
スマートフォン２１０は、撮像部２１２を搭載しており、資機材２５０に貼り付けられた識別部材の一例であるＱＲ（Quick  Response）コード（登録商標）を撮影することで、ＱＲコード２３０より識別情報を読み取る。本実施形態において、ＱＲコード２３０より読み取られる識別情報には、管理番号、機器番号、品名が含まれるものとする。なお、管理番号及び品名は、システム納入業者１２０が管理データを作成する際に決定するものとする。また、機器番号は、部品業者１１０が資機材を製作する際に決定するものとする。
【００２８】
また、スマートフォン２１０は、ＲＦＩＤ（Radio  Frequency  Identifier）リーダの接続が可能である。ＲＦＩＤリーダ２２０は、資機材２５０に貼り付けられた識別部材の一例であるＲＦＩＤ２４０より、識別情報を読み取る。本実施形態において、ＲＦＩＤリーダ２２０によって読み取られる識別情報には、管理番号、機器番号、品名が含まれるものとする。
【００２９】
識別情報に応じたＱＲコード２３０及び識別情報が書き込まれたＲＦＩＤ２４０は、部品業者１１０によって製作され、資機材２５０に貼り付けられる。部品業者１１０は、ＲＦＩＤの製造業者が製造したＲＦＩＤ２４０を、ＲＦＩＤ２４０の製造業者から購入し、資機材２５０に貼り付ける作業を行うようにしてもよい。
【００３０】
なお、識別情報を読み取るにあたり、読取手段として、撮像部２１２を用いるか、ＲＦＩＤリーダ２２０を用いるかは、予め作業工程ごとに定められているものとする。
【００３１】
更に、スマートフォン２１０には、登録プログラムの一例である実績登録アプリケーション２１１がインストールされており、読み取った管理番号、機器番号、品名を含む各種情報を、実績登録データとして、ネットワーク２６０に送信する。
【００３２】
このように、撮像部２１２を搭載し、かつ、ＲＦＩＤリーダ２２０の接続が可能であり、かつ、実績登録アプリケーション２１１がインストールされたスマートフォン２１０を用いることで、各作業工程の実行主体は、登録処理を簡単に行うことができる。
【００３３】
つまり、本実施形態によれば、各作業工程の実行主体となる業者は、当該実績登録アプリケーションを用いることで、各資機材がいずれの作業工程にあるのかを管理するために必要となる情報を、簡単な操作のみでサーバ装置に送信することができる。
【００３４】
＜資機材に貼り付けられる識別部材の説明＞
次に、資機材２５０に貼り付けられる識別部材（ＱＲコード２３０、ＲＦＩＤ２４０）のうち、ＲＦＩＤ２４０について説明する。図３は、資機材に貼り付けられる識別部材の一例を示す図である。
【００３５】
このうち、図３（ａ）は、ＲＦＩＤ２４０の上面図を示している。図３（ａ）に示すように、ＲＦＩＤ２４０は、本体部３１０を形成する領域（第１の領域）とアンテナ部３２０を形成する領域（第２の領域）とを有する。本体部３１０を形成する領域とアンテナ部３２０を形成する領域とは、折り曲げ可能に一体化されている。
【００３６】
本体部３１０は、長さが４３ｍｍで幅が２１ｍｍの矩形形状を有するＩＣタグである。本体部３１０は、ＲＦＩＤリーダ２２０から電磁波が送信されることで起動し、内蔵するメモリに記録されたデータを、アンテナ部３２０を介して外部に送信する。アンテナ部３２０は、長さが１７ｍｍで幅が２１ｍｍの矩形形状を有しており、ＲＦＩＤリーダ２２０からの電磁波を受信するとともに、本体部３１０が内蔵するメモリに記録されたデータを、外部に送信する。
【００３７】
図３（ｂ）は、ＲＦＩＤ２４０の側面図を示している。図３（ｂ）に示すように、本体部３１０及びアンテナ部３２０は、ともに厚さが０．１ｍｍである。
【００３８】
図４は、資機材に貼り付けられる識別部材の他の一例を示す図である。図３との相違点は、図４（ａ）に示すＲＦＩＤ２４０の場合、本体部３１０が有する表裏面のうち、資機材２５０に貼り付けられる貼り付け面とは反対側の面に、ＱＲコード２３０が印刷されている点である。図４に示すように、ＲＦＩＤ２４０とＱＲコード２３０とを一体化させることで、資機材２５０に識別部材を貼り付ける際の、貼り付け面積を小さくすることができる。
【００３９】
図５は、資機材に貼り付けられる識別部材の他の一例を示す図である。図４との相違点は、図５（ｂ）に示すＲＦＩＤ２４０の場合、アンテナ部３２０の一方の面（ＱＲコード２３０が印刷されている面とは反対側の面に、緩衝材５１０が取り付けられている点である。
【００４０】
これにより、資機材２５０に識別部材を貼り付けた際に、アンテナ部３２０が資機材２５０に直接接触することを回避することができる。一般に、資機材２５０は金属製であり、資機材２５０に識別部材を貼り付けた際に、アンテナ部３２０が資機材２５０に直接接触すると、ＲＦＩＤリーダ２２０から送信された電磁波をアンテナ部３２０が精度よく受信できなくなる。これに対して、図５（ｂ）に示すように緩衝材５１０が取り付けられ、アンテナ部３２０が資機材２５０に直接接触することを回避することで、ＲＦＩＤ２４０は、ＲＦＩＤリーダ２２０からの電磁波を精度よく受信することができる。
【００４１】
＜識別部材の貼り付け方法＞
次に、識別部材（ＱＲコード２３０、ＲＦＩＤ２４０）の資機材２５０への貼り付け方法について説明する。図６は、識別部材の資機材への貼り付け方法を示す図である。
【００４２】
図６（ａ）は、資機材２５０の一例である防煙・防火ダンパ６１０にＱＲコード２３０とＲＦＩＤ２４０とを別々に貼り付けた様子を示している。図６（ａ）に示すように、ＱＲコード２３０、ＲＦＩＤ２４０は、防煙・防火ダンパ６１０の外面であって、防煙・防火ダンパ６１０が現場に取り付けられた場合に露出する位置（外部から視認される位置）に貼り付けられる。ダンパ等の資機材は、ダクトと共に建築物に取り付けられた後、保温加工が施される。保温加工に際し、資機材が被覆部材により覆われるため、ＲＦＩＤ２４０は、この被覆部材により覆われない箇所に貼り付けられる。ダンパで被覆部材で覆われない箇所とは、例えば開度調整レバーの取り付け金具である。
【００４３】
なお、図６（ａ）に示すように、ＲＦＩＤ２４０の場合、防煙・防火ダンパ６１０に貼り付けられるのは、本体部３１０を形成する領域のみであり、アンテナ部３２０を形成する領域は、防煙・防火ダンパ６１０の外面とは接触していない。つまり、ＲＦＩＤ２４０は、アンテナ部３２０を形成する領域が防煙・防火ダンパ６１０の外面に対して非接触となるように、本体部３１０を形成する領域の貼り付け位置を決定したうえで、防煙・防火ダンパ６１０に貼り付けられる。
【００４４】
図６（ｂ）は、ＱＲコード２３０がＲＦＩＤ２４０に印刷されている識別部材が、資機材２５０の一例である風量調整ダンパ６２０に貼り付けられた様子を示している。図６（ｂ）に示すように、風量調整ダンパ６２０の場合、貼り付け領域が限られている。しかしながら、このような場合でも、ＱＲコード２３０がＲＦＩＤ２４０に印刷されている識別部材を用いることで、アンテナ部３２０を形成する領域が風量調整ダンパ６２０の外面に接触することなく、識別部材を貼り付けることができる。
【００４５】
図６（ｃ）は、ＱＲコード２３０がＲＦＩＤ２４０に印刷され、かつ、緩衝材５１０がアンテナ部３２０に取り付けられた識別部材が、資機材２５０の一例であるアネモスタット６３０に貼り付けられた様子を示している。図６（ｃ）に示すように、緩衝材５１０が取り付けられた識別部材を用いることで、アンテナ部３２０を形成する領域がアネモスタット６３０の外面に直接接触することを回避することができる。
【００４６】
このように、本実施形態では、本体部を形成する第１の領域と、アンテナ部を形成する第２の領域とを有する識別部材を、以下のような貼り付け方法により、資機材に貼り付ける。
・資機材の外面のうち、該資機材が所定の建築設備に取り付けられた場合に露出する位置であって、第１の領域を貼り付けた状態で第２の領域が資機材の外面に非接触となるように、第１の領域の貼り付け位置を決定する。
・第１の領域を貼り付けた状態で、第２の領域が資機材の外面に接触することを回避する部材を、第２の領域と資機材の外面との間に取り付ける。
・決定した貼り付け位置に第１の領域を貼り付けることで、識別部材を資機材に貼り付ける。
【００４７】
＜管理システムのシステム構成＞
次に、登録処理を実現する管理システムのシステム構成について説明する。図７は、登録処理を実現する管理システムのシステム構成の一例を示す図である。図７に示すように、管理システム７００は、システム納入業者１２０が有するＢＩＭシステム７１０と、操作端末７２０と、サーバ装置７３０とを含む。
【００４８】
また、管理システム７００は、部品業者１１０が有するスマートフォン２１０＿１と、システム納入業者１２０が有するスマートフォン２１０＿２と、工事業者１３０が有するスマートフォン２１０＿３とを含む。
【００４９】
なお、サーバ装置７３０と、スマートフォン２１０＿１〜２１０＿３とは、ネットワーク２６０を介して相互に接続される。また、ＢＩＭシステム７１０と、操作端末７２０と、サーバ装置７３０とは、例えば、システム納入業者１２０の所定のオフィス内の社内ＬＡＮ（Local  Area  Network）等を介して接続される。
【００５０】
ＢＩＭシステム７１０は、システム納入業者１２０の社員７５１によって操作されることで、ＢＩＭデータを生成する。ＢＩＭシステム７１０によって生成されたＢＩＭデータは、サーバ装置７３０に格納される。
【００５１】
操作端末７２０は、システム納入業者１２０の社員７５２によって操作されることで、管理データを生成する。本実施形態において、管理データには、資機材一覧データ、ユーザ一覧データ、マスタデータが含まれる（詳細は後述）。操作端末７２０によって生成された管理データは、サーバ装置７３０に格納される。
【００５２】
また、操作端末７２０は、システム納入業者１２０の社員７５２によって操作されることで、サーバ装置７３０に登録された実績登録データについての閲覧要求を送信する。これにより、操作端末７２０は、サーバ装置７３０より送信された実績登録データについての一覧画面等を表示することができる。
【００５３】
サーバ装置７３０は、各スマートフォン２１０＿１〜２１０＿３からのアプリケーション要求に応じて、実績登録アプリケーション２１１を送信する。また、サーバ装置７３０は、各スマートフォン２１０＿１〜２１０＿３からのマスタデータ要求に応じて、マスタデータを送信する。
【００５４】
また、サーバ装置７３０は、各作業工程において、各スマートフォン２１０＿１〜２１０＿３にインストールされた実績登録アプリケーション２１１が登録処理を実行することで送信した実績登録データを受信し、格納する。また、サーバ装置７３０は、操作端末７２０からの閲覧要求に応じて、実績登録データについての一覧画面等を生成し、操作端末７２０に送信する。
【００５５】
スマートフォン２１０＿１は、ステップＳ１０４における出荷作業の際に、部品業者１１０の部品工場において、部品業者１１０の社員７６１によって操作される。スマートフォン２１０＿１は、製作された資機材２５０に貼り付けられた識別部材より読み取った識別情報（管理番号、機器番号、品名）を含む各種情報を、実績登録データとして、サーバ装置７３０に送信する。
【００５６】
スマートフォン２１０＿２は、ステップＳ１０４における受取作業の際に、システム納入業者１２０の倉庫において、システム納入業者１２０の社員７５３によって操作される。スマートフォン２１０＿２は、受け取った資機材２５０に貼り付けられた識別部材より読み取った識別情報（管理番号、機器番号、品名）を含む各種情報を、実績登録データとして、サーバ装置７３０に送信する。
【００５７】
また、スマートフォン２１０＿２は、ステップＳ１０８における検査作業の際に、現場において、システム納入業者１２０の社員７５３によって操作される。スマートフォン２１０＿２は、取り付けられた資機材２５０に貼り付けられている識別部材より読み取った識別情報（管理番号、機器番号、品名）を含む各種情報を、実績登録データとして、サーバ装置７３０に送信する。
【００５８】
更に、スマートフォン２１０＿２は、ステップＳ１０９における試運転作業の際に、現場において、システム納入業者１２０の社員７５３によって操作される。スマートフォン２１０＿２は、取り付けられた資機材２５０に貼り付けられている識別部材より読み取った識別情報（管理番号、機器番号、品名）を含む各種情報を、実績登録データとして、サーバ装置７３０に送信する。
【００５９】
スマートフォン２１０＿３は、ステップＳ１０６における仮置作業の際に、現場近くの仮置き場において、工事業者１３０の社員７７１によって操作される。スマートフォン２１０＿３は、仮置きされた資機材２５０に貼り付けられている識別部材より読み取った識別情報（管理番号、機器番号、品名）を含む各種情報を、実績登録データとして、サーバ装置７３０に送信する。
【００６０】
また、スマートフォン２１０＿３は、ステップＳ１０７における取付作業の際に、現場において、工事業者１３０の社員７７１によって操作される。スマートフォン２１０＿３は、取り付けられた資機材２５０に貼り付けられている識別部材より読み取った識別情報（管理番号、機器番号、品名）を含む各種情報を、実績登録データとして、サーバ装置７３０に送信する。
【００６１】
＜管理システムにおいて実行される処理＞
次に、管理システム７００において実行される処理の流れについて説明する。図８は、管理システムにおいて実行される処理の流れを示すシーケンス図である。図８に示すように、管理システム７００において実行される処理は、事前準備フェーズと、実績登録フェーズと、維持管理フェーズとに大別することができる。
【００６２】
（１）事前準備フェーズ
ステップＳ８０１において、システム納入業者１２０の社員７５２が操作端末７２０を操作することで、操作端末７２０は、資機材一覧データを生成する。操作端末７２０は、生成した資機材一覧データをサーバ装置７３０に送信する。
【００６３】
ステップＳ８０２において、サーバ装置７３０は、操作端末７２０から送信された資機材一覧データを管理データの１つとして格納する。
【００６４】
ステップＳ８０３において、システム納入業者１２０の社員７５２が操作端末７２０を操作することで、操作端末７２０は、ユーザ一覧データを生成する。操作端末７２０は、生成したユーザ一覧データをサーバ装置７３０に送信する。
【００６５】
ステップＳ８０４において、サーバ装置７３０は、操作端末７２０から送信されたユーザ一覧データを管理データの１つとして格納する。
【００６６】
ステップＳ８０５において、システム納入業者１２０の社員７５２が操作端末７２０を操作することで、操作端末７２０は、マスタデータを生成する。操作端末７２０は、生成したマスタデータを管理データの１つとして格納する。
【００６７】
図９は、サーバ装置に格納される管理データの一例を示す図である。このうち、図９（ａ）は、資機材一覧データ９１０を示している。資機材一覧データ９１０は、現場ごとに生成される。図９（ａ）の例は、現場名＝“ＡＡＡ”の現場に納入される建築設備に用いられる資機材一覧データであることを示している。
【００６８】
図９（ａ）に示すように、資機材一覧データ９１０は、情報の項目として、“管理番号”、“品名”を含む。“管理番号”には、現場に納入される建築設備に用いられる資機材を識別するための番号が格納される。“品名”には、“管理番号”によって識別される資機材の品名が格納される。
【００６９】
図９（ｂ）は、ユーザ一覧データ９２０を示している。ユーザ一覧データ９２０も、現場ごとに生成される。図９（ｂ）の例は、現場名＝“ＡＡＡ”の現場への建築設備の納入に携わる、部品業者１１０、システム納入業者１２０、工事業者１３０のユーザ一覧データであることを示している。
【００７０】
図９（ｂ）に示すように、ユーザ一覧データ９２０は、情報の項目として、“ユーザＩＤ”、“名前”、“パスワード”、“業者区分”を含む。
【００７１】
“ユーザＩＤ”には、スマートフォン２１０＿１〜２１０＿３をそれぞれ操作する部品業者１１０の社員７６１、システム納入業者１２０の社員７５３、工事業者１３０の社員７７１を識別する識別子が格納される。
【００７２】
“名前”には、“ユーザＩＤ”によって識別される社員の名前（“ａａａ”、“ｂｂｂ”、“ｃｃｃ”）が格納される。“パスワード”には、“ユーザＩＤ”によって識別される識別子に対応付けられたパスワードが格納される。“業者区分”には、部品業者、システム納入業者、工事業者のいずれかの区分を示す情報が格納される。
【００７３】
図９（ｃ）は、マスタデータ９３０を示している。マスタデータ９３０は、現場ごと、作業工程ごとに生成される。図９（ｃ）の例は、現場名＝“ＡＡＡ”の現場への建築設備の納入に際して、作業工程＝“取付作業”において用いられるマスタデータであることを示している。
【００７４】
図９（ｃ）に示すように、マスタデータ９３０は、情報の項目として、“階”、“場所”を含む。“階”には、作業工程における作業が実行される建物（受取作業の場合には倉庫、仮置作業の場合には、仮置き場、取付作業・検査作業・試運転作業の場合には、現場）の階を示す情報が格納される。“場所”には、作業工程における作業が実行される建物内の場所を示す情報が格納される。
【００７５】
図８の説明に戻る。ステップＳ８０７において、システム納入業者１２０の社員７５１がＢＩＭシステム７１０を操作することで、ＢＩＭシステム７１０は、ＢＩＭデータを生成する。ＢＩＭシステム７１０は、生成したＢＩＭデータをサーバ装置７３０に送信する。
【００７６】
ステップＳ８０８において、サーバ装置７３０は、ＢＩＭシステム７１０から送信されたＢＩＭデータを格納する。
【００７７】
図１０は、サーバ装置に格納されるＢＩＭデータの一例を示す図である。ＢＩＭデータ１０００は、現場ごと、階ごと、場所ごとに生成される。図１０の例は、現場名＝“ＡＡＡ”の現場に納入される建築設備のうち、階＝“１”、場所＝“エリア１＿１”に取り付けられた資機材の配置を示すＢＩＭデータであることを示している。このように、建築設備のＢＩＭデータには、資機材の属性情報が含まれている。この属性情報をもとに、建築設備の現場に取り付けられるべき資機材の一覧データがシステム納入業者１２０の操作により作成される。
【００７８】
図１０に示すように、ＢＩＭデータ１０００には、当該現場、当該階、当該場所に取り付けられる資機材を示すイラスト（または記号）が、取り付け位置に応じて図示される。
【００７９】
また、ＢＩＭデータ１０００には、試運転完了登録処理においてスマートフォン２１０＿２から送信された実績登録データに含まれる識別情報（管理番号、機器番号、品名）が、各資機材を示すイラスト（または記号）に対応する位置に反映される。
【００８０】
再び、図８の説明に戻る。ステップＳ８０９において、部品業者１１０の社員７６１がスマートフォン２１０＿１を操作することで、スマートフォン２１０＿１は、サーバ装置７３０に対して、実績登録アプリケーションのダウンロードを要求するアプリケーション要求を送信する。スマートフォン２１０＿１によって送信されるアプリケーション要求には、部品業者１１０の社員７６１を識別するユーザＩＤが含まれているものとする。
【００８１】
同様に、システム納入業者１２０の社員７５３がスマートフォン２１０＿２を操作することで、スマートフォン２１０＿２は、サーバ装置７３０に対して、実績登録アプリケーションのダウンロードを要求するアプリケーション要求を送信する。スマートフォン２１０＿２によって送信されるアプリケーション要求には、システム納入業者１２０の社員７５３を識別するユーザＩＤが含まれているものとする。
【００８２】
同様に、工事業者１３０の社員７７１がスマートフォン２１０＿３を操作することで、スマートフォン２１０＿３は、サーバ装置７３０に対して、実績登録アプリケーションのダウンロードを要求するアプリケーション要求を送信する。スマートフォン２１０＿３によって送信されるアプリケーション要求には、工事業者１３０の社員７７１を識別するユーザＩＤが含まれているものとする。
【００８３】
ステップＳ８１０において、サーバ装置７３０は、スマートフォン２１０＿１より送信されたアプリケーション要求に基づいて、ダウンロードすべき実績登録アプリケーションを決定する。具体的には、サーバ装置７３０は、アプリケーション要求に含まれるユーザＩＤに基づいて、ユーザ一覧データ９２０を参照し、部品業者１１０からのアプリケーション要求であることを認識する。そして、サーバ装置７３０は、ダウンロードすべき実績登録アプリケーションとして、出荷登録処理を実行可能な実績登録アプリケーションを決定する。更に、サーバ装置７３０は、決定した実績登録アプリケーションをスマートフォン２１０＿１に送信する。
【００８４】
同様に、サーバ装置７３０は、スマートフォン２１０＿２より送信されたアプリケーション要求に基づいて、ダウンロードすべき実績登録アプリケーションを決定する。具体的には、サーバ装置７３０は、アプリケーション要求に含まれるユーザＩＤに基づいて、ユーザ一覧データ９２０を参照し、システム納入業者１２０からのアプリケーション要求であることを認識する。そして、サーバ装置７３０は、ダウンロードすべき実績登録アプリケーションとして、受取完了登録処理、検査完了登録処理、試運転完了登録処理を実行可能な実績登録アプリケーションを決定する。更に、サーバ装置７３０は、決定した実績登録アプリケーションをスマートフォン２１０＿２に送信する。
【００８５】
同様に、サーバ装置７３０は、スマートフォン２１０＿３より送信されたアプリケーション要求に基づいて、ダウンロードすべき実績登録アプリケーションを決定する。具体的には、サーバ装置７３０は、アプリケーション要求に含まれるユーザＩＤに基づいて、ユーザ一覧データ９２０を参照し、工事業者１３０からのアプリケーション要求であることを認識する。そして、サーバ装置７３０は、ダウンロードすべき実績登録アプリケーションとして、仮置完了登録処理、取付完了登録処理を実行可能な実績登録アプリケーションを決定する。更に、サーバ装置７３０は、決定した実績登録アプリケーションをスマートフォン２１０＿３に送信する。
【００８６】
ステップＳ８１１において、システム納入業者１２０の社員７５３がスマートフォン２１０＿２を操作することで、スマートフォン２１０＿２は、サーバ装置７３０に対して、マスタデータのダウンロードを要求する。スマートフォン２１０＿２によって送信されるマスタデータ要求には、システム納入業者１２０の社員７５３を識別するユーザＩＤが含まれているものとする。
【００８７】
同様に、工事業者１３０の社員７７１がスマートフォン２１０＿３を操作することで、スマートフォン２１０＿３は、サーバ装置７３０に対して、マスタデータのダウンロードを要求する。スマートフォン２１０＿３によって送信されるマスタデータ要求には、工事業者１３０の社員７７１を識別するユーザＩＤが含まれているものとする。
【００８８】
ステップＳ８１２において、サーバ装置７３０は、スマートフォン２１０＿２より送信されたマスタデータ要求に基づいて、ダウンロードすべきマスタデータを決定する。具体的には、サーバ装置７３０は、マスタデータ要求に含まれるユーザＩＤに基づいて、ユーザ一覧データ９２０を参照し、システム納入業者１２０からのマスタデータ要求であることを認識する。そして、サーバ装置７３０は、ダウンロードすべきマスタデータとして、作業工程＝受取作業、検査作業、試運転作業のマスタデータを決定する。更に、サーバ装置７３０は、決定したマスタデータをスマートフォン２１０＿２に送信する。
【００８９】
同様に、サーバ装置７３０は、スマートフォン２１０＿３より送信されたマスタデータ要求に基づいて、ダウンロードすべきマスタデータを決定する。具体的には、サーバ装置７３０は、マスタデータ要求に含まれるユーザＩＤに基づいて、ユーザ一覧データ９２０を参照し、工事業者１３０からのマスタデータ要求であることを認識する。そして、サーバ装置７３０は、ダウンロードすべきマスタデータとして、作業工程＝仮置作業、取付作業のマスタデータを決定する。更に、サーバ装置７３０は、決定したマスタデータをスマートフォン２１０＿３に送信する。
【００９０】
（２）実績登録フェーズ
続いて、実績登録フェーズについて説明する。部品業者１１０が資機材の出荷作業を開始すると、ステップＳ８２１において、部品業者１１０の社員７６１はスマートフォン２１０＿１を操作し、実績登録アプリケーション２１１を起動する。これにより、スマートフォン２１０＿１は、サーバ装置７３０との間で、出荷登録処理を実行する。
【００９１】
続いて、システム納入業者１２０が、資機材の受取作業を開始すると、ステップＳ８２２において、システム納入業者１２０の社員７５３はスマートフォン２１０＿２を操作し、実績登録アプリケーション２１１を起動する。これにより、スマートフォン２１０＿２は、サーバ装置７３０との間で、受取完了登録処理を実行する。
【００９２】
続いて、工事業者１３０が、資機材の仮置作業を開始すると、ステップＳ８２３において、工事業者１３０の社員７７１はスマートフォン２１０＿３を操作し、実績登録アプリケーション２１１を起動する。これにより、スマートフォン２１０＿３は、サーバ装置７３０との間で、仮置完了登録処理を実行する。
【００９３】
続いて、工事業者１３０が、資機材の取付作業を開始すると、ステップＳ８２４において、工事業者１３０の社員７７１はスマートフォン２１０＿３を操作し、実績登録アプリケーション２１１を起動する。これにより、スマートフォン２１０＿３は、サーバ装置７３０との間で、取付完了登録処理を実行する。
【００９４】
続いて、システム納入業者１２０が、資機材の検査作業を開始すると、ステップＳ８２５において、システム納入業者１２０の社員７５３はスマートフォン２１０＿２を操作し、実績登録アプリケーション２１１を起動する。これにより、スマートフォン２１０＿２は、サーバ装置７３０との間で、検査完了登録処理を実行する。
【００９５】
続いて、システム納入業者１２０が、資機材の試運転作業を開始すると、ステップＳ８２６において、システム納入業者１２０の社員７５３はスマートフォン２１０＿２を操作し、実績登録アプリケーション２１１を起動する。これにより、スマートフォン２１０＿２は、サーバ装置７３０との間で、試運転完了登録処理を実行する。
【００９６】
ステップＳ８２７において、システム納入業者１２０の社員７５２は、操作端末７２０を操作することで、サーバ装置７３０に対して、実績登録データの閲覧要求を送信する。これにより、操作端末７２０は、サーバ装置７３０との間で、閲覧処理を実行する。なお、閲覧処理は、ステップＳ８２１からＳ８２６の間のいずれのタイミングで実行されてもよい。
【００９７】
（３）維持管理フェーズ
続いて、維持管理フェーズについて説明する。ステップＳ８３１において、サーバ装置７３０は、試運転完了登録処理（ステップＳ８２６）において格納された実績登録データに含まれる識別情報（管理番号、機器番号、品名）をＢＩＭデータ１０００に反映させる。これにより、システム納入業者１２０は、納入した建築設備に用いられる各資機材について、ＢＩＭデータを参照しながら維持管理を行うことができる。
【００９８】
なお、図８の説明では、サーバ装置７３０は、維持管理フェーズにおいて識別情報をＢＩＭデータ１０００に反映させるものとして説明したが、実績登録フェーズにおいて、反映させるように構成してもよい。具体的には、資機材の取り付けが完了したことを示す記号、検査が完了したことを示す記号、試運転が完了したことを示す記号等を、ＢＩＭデータ１０００上の各資機材に対応付けて表示するように構成してもよい。
【００９９】
これにより、システム納入業者１２０の社員７５２は、どの資機材の取り付け、検査、試運転が完了したのかを、ＢＩＭデータ１０００上で確認することが可能となる。また、システム納入業者１２０の社員７５２は、検査が完了したことを示す記号が表示されたＢＩＭデータ１０００を、管理データとともに検査工程完了報告書として利用することができる。あるいは、システム納入業者１２０の社員７５２は、試運転が完了したことを示す記号が表示されたＢＩＭデータ１０００を、管理データとともに試運転工程完了報告書として利用することができる。
【０１００】
更に、システム納入業者１２０の社員７５２は、現場ごとの完成図書（システム納入後に作成される施工図面等）として、管理データとＢＩＭデータ１０００とを電子データにて納品することができる。なお、電子データによる完成図書の納品において、管理データやＢＩＭデータは、例えば、リンク先として記載するようにしてもよい。
【０１０１】
これにより、完成図書に記載されたリンク先にアクセスすることで、管理データやＢＩＭデータを参照することができる。また、リニューアル工事等が発生した場合に、システム納入業者１２０の社員７５２は、管理データやＢＩＭデータにアクセスすることで、リニューアル工事の提案書を簡単に作成することが可能となる。
【０１０２】
＜管理システムに含まれる各装置のハードウェア構成＞
次に、管理システム７００に含まれる各装置のうち、サーバ装置７３０とスマートフォン２１０のハードウェア構成について説明する。図１１は、サーバ装置及びスマートフォンのハードウェア構成の一例を示す図である。
【０１０３】
図１１（ａ）に示すように、サーバ装置７３０は、ＣＰＵ（Central  Processing  Unit）１１０１、ＲＯＭ（Read  Only  Memory）１１０２、ＲＡＭ（Random  Access  Memory）１１０３を有する。ＣＰＵ１１０１、ＲＯＭ１１０２、ＲＡＭ１１０３は、いわゆるコンピュータを形成する。
【０１０４】
また、サーバ装置７３０は、補助記憶部１１０４、入力部１１０５、表示部１１０６、通信部１１０７を備える。なお、サーバ装置７３０の各部は、バス１１０８を介して相互に接続されている。
【０１０５】
ＣＰＵ１１０１は、補助記憶部１１０４に格納された各種プログラム（例えば、後述する認証プログラム、実績管理プログラム、表示制御プログラム、生成プログラム等）を実行する。
【０１０６】
ＲＯＭ１１０２は不揮発性メモリである。ＲＯＭ１１０２は、補助記憶部１１０４に格納された各種プログラムを、ＣＰＵ１１０１が実行するために必要な各種プログラム、データ等を格納する、主記憶デバイスとして機能する。具体的には、ＢＩＯＳ（Basic  Input/Output  System）やＥＦＩ（Extensible  Firmware  Interface）等のブートプログラムなどを格納する。
【０１０７】
ＲＡＭ１１０３は、ＤＲＡＭ（Dynamic  Random  Access  Memory）やＳＲＡＭ（Static  Random  Access  Memory）等の揮発性メモリである。ＲＡＭ１１０３は、補助記憶部１１０４に格納された各種プログラムがＣＰＵ１１０１によって実行される際に展開される作業領域を提供する、主記憶デバイスとして機能する。
【０１０８】
補助記憶部１１０４は、ＣＰＵ１１０１によって実行される各種プログラム及び各種プログラムがＣＰＵ１１０１によって実行される際に利用される各種データを格納する補助記憶デバイスである。なお、後述する管理データ格納部、実績登録データ格納部、ＢＩＭデータ格納部は、補助記憶部１１０４において実現される。
【０１０９】
入力部１１０５は、各種指示を入力するための入力デバイスである。表示部１１０６は、サーバ装置７３０が有する各種情報を表示するための表示デバイスである。
【０１１０】
通信部１１０７は、ＢＩＭシステム７１０、操作端末７２０、スマートフォン２１０＿１〜２１０＿３と通信を行うための通信デバイスである。
【０１１１】
また、図１１（ｂ）に示すように、スマートフォン２１０は、サーバ装置７３０と同様のハードウェア構成を有するため、ここでは、サーバ装置７３０との相違点について説明する。サーバ装置７３０のハードウェア構成との相違点は、スマートフォン２１０の場合、撮像部２１２、接続部１１１９を有する点である。
【０１１２】
撮像部２１２は、ＱＲコード２３０を撮影し、撮影画像を生成する画像生成デバイスである。接続部１１１９は、ＲＦＩＤリーダ２２０と接続するための接続デバイスである。
【０１１３】
＜管理システムに含まれる各装置の機能構成＞
次に、管理システム７００に含まれる各装置のうち、サーバ装置７３０とスマートフォン２１０の機能構成について説明する。図１２は、サーバ装置及びスマートフォンの機能構成の一例を示す図であり、主に実績登録フェーズ及び維持管理フェーズにおいて実行される機能について示している。
【０１１４】
（１）サーバ装置の機能構成
サーバ装置７３０には、主に実績登録フェーズ及び維持管理フェーズにおいて実行されるプログラムとして、認証プログラム、実績管理プログラム、表示制御プログラム、生成プログラムがインストールされている。サーバ装置７３０は、実績登録フェーズ及び維持管理フェーズにおいて当該プログラムを実行することで、認証部１２０１、実績管理部１２０２、表示制御部１２０３、生成部１２０４として機能する（図１２（ａ））。
【０１１５】
認証部１２０１は、スマートフォン２１０の実績登録アプリケーション２１１起動時に入力されるユーザＩＤ、パスワードを受信した場合に、管理データ格納部１２０５に格納されたユーザ一覧データ９２０を参照する。
【０１１６】
また、認証部１２０１は、スマートフォン２１０より受信したユーザＩＤとパスワードとの組み合わせが、ユーザ一覧データ９２０に格納されたユーザＩＤとパスワードとの組み合わせと一致するか否かを判定する。一致すると判定した場合、認証部１２０１は、認証に成功したと判定し、ユーザ一覧データ９２０に格納された“名前”及び対応する“現場名”を、スマートフォン２１０に送信する。一方、一致しないと判定した場合、認証部１２０１は、認証に失敗したと判定し、スマートフォン２１０に対して認証エラーを送信する。
【０１１７】
実績管理部１２０２は受信手段の一例であり、登録処理においてスマートフォン２１０より送信される実績登録データを受信する。また、実績管理部１２０２は格納手段の一例であり、受信した実績登録データを実績登録データ格納部１２０６に格納する。
【０１１８】
表示制御部１２０３は表示制御手段の一例であり、操作端末７２０から送信される閲覧要求に応じて、実績登録データ格納部１２０６より実績登録データを読み出し、一覧画面を生成して操作端末７２０に送信する。また、表示制御部１２０３は、操作端末７２０から送信される履歴画面表示要求に応じて、実績登録データ格納部１２０６より実績登録データを読み出し、履歴画面を生成して、操作端末７２０に送信する。
【０１１９】
生成部１２０４は、試運転完了登録処理（ステップＳ８２６）において実績登録データ格納部１２０６に格納された実績登録データより、識別情報を読み出し、ＢＩＭデータ１０００に反映させる。
【０１２０】
（２）スマートフォンの機能構成
スマートフォン２１０にインストールされる実績登録アプリケーション２１１は、ログイン部１２１１及び実績登録部１２１２を有する。
【０１２１】
ログイン部１２１１は、実績登録アプリケーション２１１起動時に、ユーザＩＤとパスワードの入力を受け付ける。また、ログイン部１２１１は、受け付けたユーザＩＤとパスワードとを、サーバ装置７３０に送信する。サーバ装置７３０に送信したことに応じて、サーバ装置７３０より、ユーザＩＤに対応する“名前”及び“現場名”を受信した場合、ログイン部１２１１は、当該“名前”及び“現場名”を実績登録部１２１２に通知する。一方、サーバ装置７３０より、認証エラーが送信された場合、ログイン部１２１１は、表示部１１１６に認証エラーを表示する。
【０１２２】
実績登録部１２１２は、ログイン部１２１１より通知を受けると、“名前”及び“現場名”を含む登録画面を表示する。また、実績登録部１２１２は、登録画面を介して各種操作を受け付けることで、マスタデータ格納部１２１３に格納されたマスタデータの中から選択された情報を登録画面に表示する。
【０１２３】
また、実績登録部１２１２は、登録画面を介して各種操作を受け付けることで、識別部材より識別情報を読み取り、登録画面に表示する。更に、実績登録部１２１２は、登録画面を介して各種操作を受け付けることで、登録画面に表示された各種情報を含む実績登録データをサーバ装置７３０に送信する。
【０１２４】
＜実績登録フェーズにおける登録処理の詳細＞
次に、実績登録フェーズにおける各登録処理（ステップＳ８２１〜Ｓ８２６）の詳細について説明する。
【０１２５】
（１）出荷登録処理（ステップＳ８２１）の詳細
はじめに、実績登録フェーズにおいて実行される出荷登録処理（ステップＳ８２１）の詳細について説明する。図１３は、実績登録フェーズにおいて実行される出荷登録処理の流れを示すシーケンス図である。
【０１２６】
ステップＳ１３０１において、部品業者１１０の社員７６１は、スマートフォン２１０＿１の表示画面１３２０において起動指示を入力する。具体的には、部品業者１１０の社員７６１は、出荷登録処理を実行可能な実績登録アプリケーションのアイコン１３２１を操作することで、起動指示を入力する。
【０１２７】
ステップＳ１３０２において、スマートフォン２１０＿１のログイン部１２１１は、起動指示が入力されたことに応じて、スマートフォン２１０＿１にログイン画面１３３０を表示する。ログイン画面１３３０には、ユーザＩＤを入力する入力欄１３３１と、パスワードを入力する入力欄１３３２とが含まれる。
【０１２８】
ステップＳ１３０３において、部品業者１１０の社員７６１は、入力欄１３３１、１３３２に、ユーザＩＤとパスワードをそれぞれ入力する。
【０１２９】
ステップＳ１３０４において、スマートフォン２１０＿１のログイン部１２１１は、入力されたユーザＩＤとパスワードとを含む認証要求を、サーバ装置７３０に送信する。
【０１３０】
ステップＳ１３０５において、サーバ装置７３０の認証部１２０１は、認証要求に含まれるユーザＩＤとパスワードとの組み合わせが、ユーザ一覧データ９２０に格納されたユーザＩＤとパスワードとの組み合わせと一致するか否かを判定する。ここでは、認証部１２０１は、一致すると判定したものとする。
【０１３１】
ステップＳ１３０６において、サーバ装置７３０の認証部１２０１は、ユーザ一覧データ９２０の“名前”及び“現場名”をスマートフォン２１０＿１に送信する。
【０１３２】
ステップＳ１３０７において、ログイン部１２１１は、スマートフォン２１０＿１に初期画面１３４０を表示する。初期画面１３４０には、出荷登録処理の実行を指示する「出荷」ボタン１３４１が含まれる。
【０１３３】
ステップＳ１３０８において、部品業者１１０の社員７６１が、「出荷」ボタン１３４１を選択すると、ステップＳ１３０９において、ログイン部１２１１は選択手段として機能し、「出荷」ボタン１３４１が選択されたことを、実績登録部１２１２に通知する。
【０１３４】
ステップＳ１３１０において、実績登録部１２１２は、スマートフォン２１０＿１に出荷登録画面を表示する。図１４は、出荷登録画面の一例を示す図である。以下、図１４の出荷登録画面１４００を参照しながら、図１３の出荷登録処理についての説明を進める。
【０１３５】
図１４に示すように、出荷登録画面１４００には、現場名（“ＡＡＡ”）及び担当者の“名前”（“ａａａ”）が表示される。また、出荷登録画面１４００には、ＱＲコードを撮影する際の撮影画像を表示するＱＲコード撮影画像表示領域１４０１と、撮像部２１２に対する撮影指示を入力するための“撮影”ボタン１４０２とが含まれる。
【０１３６】
ステップＳ１３１１において、部品業者１１０の社員７６１は、ＱＲコード撮影画像表示領域１４０１にＱＲコード２３０を表示させた状態で、“撮影”ボタン１４０２を押圧することで、読み込み操作を行う。
【０１３７】
ステップＳ１３１２において、実績登録部１２１２は取得手段として機能し、ＱＲコード２３０を撮影した撮像部２１２から、ＱＲコード２３０の撮影画像を読み込み、ＱＲコード２３０より識別情報を読み取ることで、識別情報を取得する。
【０１３８】
ステップＳ１３１３において、実績登録部１２１２は、撮影したＱＲコード２３０より読み取った識別情報（管理番号、機器番号及び品名）を、出荷登録画面１４００に表示する。図１４に示すように、出荷登録画面１４００には、読み取った識別情報を表示する識別情報表示欄１４０３が含まれる。なお、識別情報表示欄１４０３において、“作業工程”には、現在の作業工程（出荷作業が行われる作業工程）の１つ前の作業工程（発注作業が行われる作業工程）が表示される。
【０１３９】
出荷登録画面１４００には、更に、識別情報表示欄１４０３に表示された識別情報を含む各種情報を、実績登録データとして、サーバ装置７３０に送信するための“登録”ボタン１４０４が含まれる。また、出荷登録画面１４００には、識別情報表示欄１４０３に表示された情報をリセットするための“キャンセル”ボタン１４０５が含まれる。
【０１４０】
ステップＳ１３１４において、部品業者１１０の社員７６１は、“登録”ボタン１４０４を押圧することで、登録指示を行う。
【０１４１】
ステップＳ１３１５において、実績登録部１２１２は送信手段として機能し、実績登録データをサーバ装置７３０に送信する。ステップＳ１３１５において送信される実績登録データには、
・識別情報表示欄１４０３に表示された識別情報（管理番号、機器番号、品名）、
・現在の作業工程（出荷）、
・現場名（“ＡＡＡ”）
・担当者の“名前”（“ａａａ”）、
が含まれる。
【０１４２】
ステップＳ１３１６において、サーバ装置７３０の実績管理部１２０２は、受信した実績登録データを、実績登録データ格納部１２０６に格納する。
【０１４３】
（２）受取完了登録処理（ステップＳ８２２）の詳細
次に、実績登録フェーズにおいて実行される受取完了登録処理（ステップＳ８２２）の詳細について説明する。図１５は、実績登録フェーズにおいて実行される受取完了登録処理の流れを示すシーケンス図である。
【０１４４】
なお、ステップＳ１５０１〜ステップＳ１５０５までの処理は、図１３のステップＳ１３０１〜ステップＳ１３０５までの処理と同様であるため、ここでは説明を省略する。
【０１４５】
ステップＳ１５０７において、スマートフォン２１０＿２のログイン部１２１１は、スマートフォン２１０＿２に初期画面１５４０を表示する。初期画面１５４０には、受取完了登録処理、検査完了登録処理、試運転完了登録処理のいずれかの実行を指示する、「受取完了」ボタン１５４１、「検査完了」ボタン１５４２、「試運転完了」ボタン１５４３が含まれる。
【０１４６】
ステップＳ１５０８において、システム納入業者１２０の社員７５３は、「受取完了」ボタン１５４１を選択する。ステップＳ１５０９において、スマートフォン２１０＿２のログイン部１２１１は選択手段として機能し、「受取完了」ボタン１５４１が選択されたことを、実績登録部１２１２に通知する。
【０１４７】
ステップＳ１５１０において、実績登録部１２１２は、マスタデータ格納部１２１３を参照する。ステップＳ１５１１において、実績登録部１２１２は、受取完了登録処理に応じたマスタデータをマスタデータ格納部１２１３より読み出す。
【０１４８】
ステップＳ１５１２において、実績登録部１２１２は、スマートフォン２１０＿２に受取完了登録画面を表示する。図１６は、受取完了登録画面の一例を示す図である。以下、図１６の受取完了登録画面１６００を参照しながら、図１５の受取完了登録処理についての説明を進める。
【０１４９】
図１６に示すように、受取完了登録画面１６００には、現場名（“ＡＡＡ”）及び担当者の“名前”（“ｂｂｂ”）が表示される。また、受取完了登録画面１６００には、ＲＦＩＤリーダ２２０がＲＦＩＤ２４０より読み取った識別情報を表示するＲＦＩＤリーダ表示領域１６０１が含まれる。また、受取完了登録画面１６００には、ＲＦＩＤリーダ２２０に対する起動指示、出力指示を入力するための“起動”ボタン１６０２及び“出力”ボタン１６０３が含まれる。
【０１５０】
ステップＳ１５１３において、システム納入業者１２０の社員７５３は、“起動”ボタン１６０２を押圧し、ＲＦＩＤリーダ２２０を起動する。また、システム納入業者１２０の社員７５３は、ＲＦＩＤリーダ表示領域１６０１に識別情報を表示させた状態で、“出力”ボタン１６０３を押圧する。
【０１５１】
ステップＳ１５１４において、スマートフォン２１０＿２の実績登録部１２１２は取得手段として機能し、ＲＦＩＤリーダ２２０によって読み取られた識別情報を読み込むことで、識別情報を取得する。
【０１５２】
ステップＳ１５１５において、スマートフォン２１０＿２の実績登録部１２１２は、ＲＦＩＤリーダ２２０によって読み取られた識別情報（管理番号、機器番号及び品名）を、受取完了登録画面１６００に表示する。図１６に示すように、受取完了登録画面１６００には、読み取られた識別情報を表示する識別情報表示欄１６０５が含まれる。なお、識別情報表示欄１６０５において、“作業工程”には、現在の作業工程（受取作業が行われる作業工程）の１つ前の作業工程（出荷作業が行われる作業工程）が表示される。
【０１５３】
識別情報表示欄１６０５には、更に、システム納入業者１２０の社員７５３が、資機材を受け取った倉庫の“階”、“場所”を入力する項目が含まれる。識別情報表示欄１６０５の“階、”“場所”には、受取完了登録処理に応じたマスタデータが表示される選択欄１６０４の中から、システム納入業者１２０の社員７５３によって選択された情報が表示される。
【０１５４】
受取完了登録画面１６００には、更に、識別情報表示欄１６０５に表示された識別情報を含む各種情報を、実績登録データとして、サーバ装置７３０に送信するための“登録”ボタン１６０６が含まれる。受取完了登録画面１６００には、識別情報表示欄１６０５に表示された情報をリセットするための“キャンセル”ボタン１６０７が含まれる。
【０１５５】
ステップＳ１５１６において、システム納入業者１２０の社員７５３は、“登録”ボタン１６０６を押圧することで、登録指示を行う。
【０１５６】
ステップＳ１５１７において、実績登録部１２１２は送信手段として機能し、実績登録データをサーバ装置７３０に送信する。ステップＳ１５１７において送信される実績登録データには、
・識別情報表示欄１６０５に表示された識別情報（管理番号、機器番号、品名）、
・現在の作業工程（受取）、
・現場名（“ＡＡＡ”）
・担当者の“名前”（“ｂｂｂ”）、
・資機材を受け取った倉庫の“階”、“場所”、
が含まれる。
【０１５７】
ステップＳ１５１８において、サーバ装置７３０の実績管理部１２０２は、受信した実績登録データを、実績登録データ格納部１２０６に格納する。
【０１５８】
（３）仮置完了登録処理（ステップＳ８２３）の詳細
次に、実績登録フェーズにおいて実行される仮置完了登録処理（ステップＳ８２３）の詳細について説明する。図１７は、実績登録フェーズにおいて実行される仮置完了登録処理の流れを示すシーケンス図である。
【０１５９】
なお、ステップＳ１７０１〜ステップＳ１７０５までの処理は、図１３のステップＳ１３０１〜ステップＳ１３０５までの処理と同様であるため、ここでは説明を省略する。
【０１６０】
ステップＳ１７０７において、スマートフォン２１０＿３のログイン部１２１１は、スマートフォン２１０＿３に初期画面１７４０を表示する。初期画面１７４０には、仮置完了登録処理、取付完了登録処理のいずれかの実行を指示する、「仮置完了」ボタン１７４１、「取付完了」ボタン１７４２が含まれる。
【０１６１】
ステップＳ１７０８において、工事業者１３０の社員７７１は、「仮置完了」ボタン１７４１を選択する。ステップＳ１７０９において、スマートフォン２１０＿３のログイン部１２１１は選択手段として機能し、「仮置完了」ボタン１７４１が選択されたことを、実績登録部１２１２に通知する。
【０１６２】
ステップＳ１７１０において、実績登録部１２１２は、マスタデータ格納部１２１３を参照する。ステップＳ１７１１において、実績登録部１２１２は、仮置完了登録処理に応じたマスタデータをマスタデータ格納部１２１３より読み出す。
【０１６３】
ステップＳ１７１２において、実績登録部１２１２は、スマートフォン２１０＿３に仮置完了登録画面を表示する。図１８は、仮置完了登録画面の一例を示す図である。以下、図１８の仮置完了登録画面１８００を参照しながら、図１７の仮置完了登録処理についての説明を進める。
【０１６４】
図１８に示すように、仮置完了登録画面１８００には、現場名（“ＡＡＡ”）及び担当者の“名前”（“ｃｃｃ”）が表示される。また、仮置完了登録画面１８００には、ＲＦＩＤリーダ２２０がＲＦＩＤ２４０より読み取った識別情報を表示するＲＦＩＤリーダ表示領域１８０１が含まれる。また、仮置完了登録画面１８００には、ＲＦＩＤリーダ２２０に対する起動指示、出力指示を入力するための“起動”ボタン１８０２及び“出力”ボタン１８０３が含まれる。
【０１６５】
ステップＳ１７１３において、工事業者１３０の社員７７１は、“起動”ボタン１８０２を押圧し、ＲＦＩＤリーダ２２０を起動する。また、工事業者１３０の社員７７１は、ＲＦＩＤリーダ表示領域１８０１に識別情報を表示させた状態で、“出力”ボタン１８０３を押圧する。
【０１６６】
ステップＳ１７１４において、スマートフォン２１０＿３の実績登録部１２１２は取得手段として機能し、ＲＦＩＤリーダ２２０によって読み取られた識別情報を読み込むことで、識別情報を取得する。
【０１６７】
ステップＳ１７１５において、スマートフォン２１０＿３の実績登録部１２１２は、ＲＦＩＤリーダ２２０によって読み取られた識別情報（管理番号、機器番号及び品名）を、仮置完了登録画面１８００に表示する。図１８に示すように、仮置完了登録画面１８００には、読み取られた識別情報を表示する識別情報表示欄１８０５が含まれる。なお、識別情報表示欄１８０５において、“作業工程”には、現在の作業工程（仮置作業が行われる作業工程）の１つ前の作業工程（受取作業が行われる作業工程）が表示される。
【０１６８】
識別情報表示欄１８０５には、更に、工事業者１３０の社員７７１が、資機材を仮置きした仮置き場の“階”、“場所”を入力する項目が含まれる。識別情報表示欄１８０５の“階”、“場所”には、仮置完了登録処理に応じたマスタデータが表示される選択欄１８０４の中から、工事業者１３０の社員７７１によって選択された情報が表示される。
【０１６９】
仮置完了登録画面１８００には、更に、識別情報表示欄１８０５に表示された識別情報を含む各種情報を、実績登録データとして、サーバ装置７３０に送信するための“登録”ボタン１８０６が含まれる。仮置完了登録画面１８００には、識別情報表示欄１８０５に表示された情報をリセットするための“キャンセル”ボタン１８０７が含まれる。
【０１７０】
ステップＳ１７１６において、工事業者１３０の社員７７１は、“登録”ボタン１８０６を押圧することで、登録指示を行う。
【０１７１】
ステップＳ１７１７において、実績登録部１２１２は送信手段として機能し、実績登録データをサーバ装置７３０に送信する。ステップＳ１７１７において送信される実績登録データには、
・識別情報表示欄１８０５に表示された識別情報（管理番号、機器番号、品名）、
・現在の作業工程（仮置）、
・現場名（“ＡＡＡ”）
・担当者の“名前”（“ｃｃｃ”）、
・資機材を仮置きした仮置き場の“階”、“場所”、
が含まれる。
【０１７２】
ステップＳ１７１８において、サーバ装置７３０の実績管理部１２０２は、受信した実績登録データを、実績登録データ格納部１２０６に格納する。
【０１７３】
（４）取付完了登録処理（ステップＳ８２４）の詳細
次に、実績登録フェーズにおいて実行される取付完了登録処理（ステップＳ８２４）の詳細について説明する。なお、実績登録フェーズにおいて実行される取付完了登録処理の流れは、図１７を用いて説明した仮置完了登録処理の流れと概ね同じであるため、ここでは、登録画面の違いについて説明する。
【０１７４】
図１９は、取付完了登録画面の一例を示す図である。図１９に示すように、取付完了登録画面１９００には、現場名（“ＡＡＡ”）及び担当者の“名前”（“ｃｃｃ”）が表示される。また、取付完了登録画面１９００には、ＱＲコードを撮影する際の撮影画像を表示するＱＲコード撮影画像表示領域１９０１と、撮像部２１２に対する撮影指示を入力するための“撮影”ボタン１９０２とが含まれる。
【０１７５】
また、図１９に示すように、取付完了登録画面１９００には、読み取った識別情報を表示する識別情報表示欄１９０４が含まれる。なお、識別情報表示欄１９０４において、“作業工程”には、現在の作業工程（取付作業が行われる作業工程）の１つ前の作業工程（仮置作業が行われる作業工程）が表示される。
【０１７６】
識別情報表示欄１９０４には、更に、工事業者１３０の社員７７１が、資機材を取り付けた現場の“階”、“場所”を入力する項目が含まれる。識別情報表示欄１９０４の“階”、“場所”には、取付完了登録処理に応じたマスタデータが表示される選択欄１９０３の中から、工事業者１３０の社員７７１によって選択された情報が表示される。
【０１７７】
取付完了登録画面１９００には、更に、識別情報表示欄１９０４に表示された識別情報を含む各種情報を、実績登録データとして、サーバ装置７３０に送信するための“登録”ボタン１９０５が含まれる。取付完了登録画面１９００には、識別情報表示欄１９０４に表示された情報をリセットするための“キャンセル”ボタン１９０６が含まれる。
【０１７８】
（５）検査完了登録処理（ステップＳ８２５）の詳細
次に、実績登録フェーズにおいて実行される検査完了登録処理（ステップＳ８２５）の詳細について説明する。なお、実績登録フェーズにおいて実行される検査完了登録処理の流れは、図１５を用いて説明した受取完了登録処理の流れと概ね同じであるため、ここでは、登録画面の違いについて説明する。
【０１７９】
図２０は、検査完了登録画面の一例を示す図である。図２０に示すように、検査完了登録画面２０００には、現場名（“ＡＡＡ”）及び担当者の“名前”（“ｂｂｂ”）が表示される。また、検査完了登録画面２０００には、ＱＲコードを撮影する際の撮影画像を表示するＱＲコード撮影画像表示領域２００１と、撮像部２１２に対する撮影指示を入力するための“撮影”ボタン２００２とが含まれる。
【０１８０】
また、図２０に示すように、検査完了登録画面２０００には、読み取った識別情報を表示する識別情報表示欄２００４が含まれる。なお、識別情報表示欄２００４において、“作業工程”には、現在の作業工程（検査作業が行われる作業工程）の１つ前の作業工程（取付作業が行われる作業工程）が表示される。
【０１８１】
識別情報表示欄２００４には、更に、システム納入業者１２０の社員７５３が検査した資機材が取り付けられている現場の“階”、“場所”を入力する項目が含まれる。識別情報表示欄２００４の“階”、“場所”には、検査完了登録処理に応じたマスタデータが表示される選択欄２００３の中から、システム納入業者１２０の社員７５３によって選択された情報が表示される。
【０１８２】
検査完了登録画面２０００には、更に、識別情報表示欄２００４に表示された識別情報を含む各種情報を、実績登録データとして、サーバ装置７３０に送信するための“登録”ボタン２００５が含まれる。検査完了登録画面２０００には、識別情報表示欄２００４に表示された情報をリセットするための“キャンセル”ボタン２００６が含まれる。
【０１８３】
（６）試運転完了登録処理（ステップＳ８２６）の詳細
次に、実績登録フェーズにおいて実行される試運転完了登録処理（ステップＳ８２６）の詳細について説明する。なお、実績登録フェーズにおいて実行される試運転完了登録処理の流れも、図１５を用いて説明した受取完了登録処理の流れと概ね同じであるため、ここでは、登録画面の違いについて説明する。
【０１８４】
図２１は、試運転完了登録画面の一例を示す図である。図２１に示すように、試運転完了登録画面２１００には、現場名（“ＡＡＡ”）及び担当者の“名前”（“ｂｂｂ”）が表示される。また、検査完了登録画面２０００には、ＱＲコードを撮影する際の撮影画像を表示するＱＲコード撮影画像表示領域２１０１と、撮像部２１２に対する撮影指示を入力するための“撮影”ボタン２１０２とが含まれる。
【０１８５】
また、図２１に示すように、試運転完了登録画面２１００には、読み取った識別情報を表示する識別情報表示欄２１０４が含まれる。なお、識別情報表示欄２１０４において、“作業工程”には、現在の作業工程（試運転作業が行われる作業工程）の１つ前の作業工程（検査作業が行われる作業工程）が表示される。
【０１８６】
識別情報表示欄２１０４には、更に、システム納入業者１２０の社員７５３が、試運転を行った資機材が取り付けられている現場の“階”、“場所”を入力する項目が含まれる。識別情報表示欄２１０４の“階”、“場所”には、試運転登録処理に応じたマスタデータが表示される選択欄２１０３の中から、システム納入業者１２０の社員７５３によって選択された情報が表示される。
【０１８７】
試運転完了登録画面２１００には、更に、識別情報表示欄２１０４に表示された識別情報を含む各種情報を、実績登録データとして、サーバ装置７３０に送信するための“登録”ボタン２１０５が含まれる。検査完了登録画面２０００には、識別情報表示欄２１０４に表示された情報をリセットするための“キャンセル”ボタン２１０６が含まれる。
【０１８８】
＜実績登録データの具体例＞
次に、サーバ装置７３０の実績管理部１２０２によって、実績登録データ格納部１２０６に格納される実績登録データの具体例について説明する。図２２は、サーバ装置に格納される実績登録データの一例を示す図である。
【０１８９】
図２２に示すように、サーバ装置７３０の実績管理部１２０２は、スマートフォン２１０から送信された実績登録データを、現場名、管理番号ごとに、分けて格納する。図２２は、実績登録データ２２０１〜２２０３は、現場名＝“ＡＡＡ”で、管理番号＝“Ａ−１２３”、“Ｂ−４５６”、“Ｃ−７８９”の実績登録データをそれぞれ示している。
【０１９０】
図２２に示すように、実績登録データ２２０１には、情報の項目として、“処理日時”、“作業工程”、“場所”、“階”、“判定”、“備考”、“担当者”が含まれる。
【０１９１】
“処理日時”には、登録処理が実行された日時が格納される。“作業工程”には、対応する処理日時にスマートフォン２１０から送信された実績登録データに含まれる“作業工程”が格納される。“場所”、“階”には、対応する登録処理において、スマートフォン２１０から送信された実績登録データに含まれる“場所”、”階“が格納される。
【０１９２】
“判定”には、対応する登録処理が検査完了登録処理または試運転完了登録処理であった場合に、検査結果または試運転結果が格納される。
【０１９３】
“担当者”には、対応する登録処理において、スマートフォン２１０から送信された実績登録データに含まれる担当者の“名前”が格納される。
【０１９４】
＜サーバ装置による閲覧処理＞
次に、サーバ装置７３０による閲覧処理（ステップＳ８２７）の詳細について説明する。図２３は、サーバ装置による閲覧処理の流れを示すフローチャートである。
【０１９５】
操作端末７２０から、“現場名”が指定された閲覧要求が送信されると、サーバ装置７３０は、図２３に示す閲覧処理を開始する。
【０１９６】
ステップＳ２３０１において、表示制御部１２０３は、送信された閲覧要求を受け付ける。ステップＳ２３０２において、表示制御部１２０３は、実績登録データ格納部１２０６を参照し、閲覧要求に含まれる“現場名”に対応する１の実績登録データを読み出す。
【０１９７】
ステップＳ２３０３において、表示制御部１２０３は、読み出した実績登録データの“管理番号”に格納された管理番号を読み出す。
【０１９８】
ステップＳ２３０４において、表示制御部１２０３は、読み出した実績登録データの“作業工程”に格納された異なる作業工程のうち、処理日時が最新の作業工程を読み出す。
【０１９９】
ステップＳ２３０５において、表示制御部１２０３は、ステップＳ２３０４において読み出した作業工程に対応する、“場所”、“階”、“判定”、“担当者”、“処理日時”を読み出す。
【０２００】
ステップＳ２３０６において、表示制御部１２０３は、実績登録データ格納部１２０６に格納された全ての実績登録データについて、ステップＳ２３０３からＳ２３０５の処理を実行したか否かを判定する。なお、ここでいう全ての実績登録データとは、閲覧要求に含まれる“現場名”に対応する全ての実績登録データである。
【０２０１】
ステップＳ２３０６において、処理を実行していない実績登録データがあると判定した場合には（ステップＳ２３０６においてＮｏの場合には）、ステップＳ２３０２に戻る。一方、ステップＳ２３０６において、全ての実績登録データについて処理を実行したと判定した場合には（ステップＳ２３０６においてＹｅｓの場合には）、ステップＳ２３０７に進む。
【０２０２】
ステップＳ２３０７において、表示制御部１２０３は、ステップＳ２３０３〜ステップＳ２３０５において、管理番号、作業工程、場所、階、判定、担当者、処理日時が読み出された実績登録データを、管理番号順に並び替える。
【０２０３】
ステップＳ２３０８において、表示制御部１２０３は、管理番号順に並び替えられた実績登録データについて、一覧画面を生成し、操作端末７２０に一覧画面を送信する。
【０２０４】
ステップＳ２３０９において、表示制御部１２０３は、操作端末７２０より“現場名”及び“管理番号”が指定された履歴画面表示要求を受信したか否かを判定する。ステップＳ２３０９において、履歴画面表示要求を受信していないと判定した場合には（ステップＳ２３０９においてＮｏの場合には）、ステップＳ２３１１に進む。
【０２０５】
一方、ステップＳ２３０９において、履歴画面表示要求を受信したと判定した場合には（ステップＳ２３０９においてＹｅｓの場合には）、ステップＳ２３１０に進む。ステップＳ２３１０において、表示制御部１２０３は、履歴画面表示処理（詳細は後述）を実行する。
【０２０６】
ステップＳ２３１１において、表示制御部１２０３は、閲覧処理を終了するか否かを判定する。ステップＳ２３１１において、閲覧処理を終了しないと判定した場合には（ステップＳ２３１１においてＮｏの場合には）、ステップＳ２３０９に戻る。
【０２０７】
一方、ステップＳ２３１１において、閲覧処理を終了すると判定した場合には（ステップＳ２３１１においてＹｅｓの場合には）、閲覧処理を終了する。
【０２０８】
＜履歴画面表示処理の流れ＞
次に、サーバ装置７３０の表示制御部１２０３による履歴画面表示処理（ステップＳ２３１０）の詳細について説明する。図２４は、履歴画面表示処理の流れを示すフローチャートである。
【０２０９】
ステップＳ２４０１において、表示制御部１２０３は、履歴画面表示要求に含まれる現場名及び管理番号を認識する。ステップＳ２４０２において、表示制御部１２０３は、認識した現場名及び管理番号に対応する実績登録データを、実績登録データ格納部１２０６より読み出す。
【０２１０】
ステップＳ２４０３において、表示制御部１２０３は、読み出した実績登録データに基づいて、履歴画面を生成し、操作端末７２０に送信する。
【０２１１】
＜一覧画面及び履歴画面の具体例＞
次に、閲覧処理（図２３）において操作端末７２０に送信される一覧画面、及び、履歴画面表示処理（図２４）において操作端末７２０に送信される履歴画面の具体例について説明する。
【０２１２】
図２５は、一覧画面の具体例を示す図である。図２５に示すように、一覧画面２５００には、現場名（“ＡＡＡ”）が含まれる。また、一覧画面２５００には、情報の項目として、“管理番号”、“作業工程”、“場所”、“階”、“担当者”、“検査”、“日時”が含まれる。なお、各項目には、図２３のステップＳ２３０３〜Ｓ２３０５において読み出された情報が表示される。
【０２１３】
このように、システム納入業者１２０の社員７５２は、操作端末７２０を介してサーバ装置７３０にアクセスすることで、各資機材がいずれの作業工程にあるのかを、容易に把握することができる。
【０２１４】
一覧画面２５００には、更に、履歴画面表示要求を送信するための“履歴”ボタン２５１１が含まれる。システム納入業者１２０の社員７５２によって、“履歴”ボタン２５１１が押圧されることで、操作端末７２０は、現場名及び管理番号を指定した履歴画面表示要求を生成し、サーバ装置７３０に送信する。
【０２１５】
なお、図２５の例では、“履歴”ボタン２５１１が押圧されると、現場名＝“ＡＡＡ”、管理番号＝“Ａ−１２３”を含む履歴画面表示要求が生成され、サーバ装置７３０に送信される。
【０２１６】
図２６は、履歴画面の具体例を示す図である。図２６に示すように、履歴画面２６００には、履歴画面表示要求に含まれる現場名、管理番号を有する、実績登録データ２２０１が表示される。図２６の例は、現場名＝“ＡＡＡ”、管理番号＝“Ａ−１２３”を有する、実績登録データが表示されたことを示している。
【０２１７】
＜まとめ＞
以上の説明から明らかなように、本実施形態における実績登録アプリケーションは、
・資機材を、所定の建築設備に取り付け、該建築設備の一部として機能させるまでの複数の作業工程のうち、１の作業工程を選択することで、該作業工程に応じた登録画面を表示する。
・登録画面が表示された状態で、資機材に貼り付けられたＱＲコードまたはＲＦＩＤより識別情報を読み取り、読み取った識別情報を作業工程を示す情報と対応付けてサーバ装置に送信する。
【０２１８】
これにより、各作業工程の実行主体は、当該実績登録アプリケーションを用いることで、各資機材がいずれの作業工程にあるのかを管理するために必要となる情報を、簡単な操作のみでサーバ装置に送信することが可能となる。
【０２１９】
また、本実施形態におけるサーバ装置は、
・実績登録アプリケーションを実行する携帯端末と通信し、該携帯端末において取得された資機材を識別する識別情報と、作業工程を示す情報とを受信する。
・１の識別情報に対して受信した、複数の作業工程を示す情報のうち、受信したタイミングが最も遅い情報（つまり、現在の作業工程を示す情報）を、識別情報と対応付けて表示するよう制御する。
【０２２０】
これにより、建築設備を納入するシステム納入業者は、サーバ装置にアクセスすることで、各資機材が現在いずれの作業工程にあるのかを、容易に把握することができる。
【０２２１】
また、本実施形態におけるＲＦＩＤは、
・本体部とアンテナ部とを有し、資機材の外面のうち、建築設備に取り付けた場合に露出する位置に取り付けられる。
・本体部を資機材の外面に貼り付けた状態で、アンテナ部が資機材の外面に非接触となるように、本体部の貼り付け位置を決定することで、資機材に貼り付けられる。
【０２２２】
これにより、各作業工程の実行主体が、ＲＦＩＤリーダを介してＲＦＩＤより識別情報を読み取る際に、確実に読み取ることができる。
【０２２３】
この結果、本実施形態によれば、建築設備に用いられる資機材を管理する際の管理負荷を低減させることができる。
【０２２４】
［第２の実施形態］
上記第１の実施形態では、事前準備フェーズにおいて、スマートフォン２１０＿１〜２１０＿３がサーバ装置７３０からマスタデータ９３０を取得するものとして説明した。しかしながら、マスタデータ９３０の取得タイミングはこれに限定されず、実績登録フェーズにおいて、スマートフォン２１０＿１〜２１０＿３がサーバ装置７３０からマスタデータ９３０を取得するように構成してもよい。
【０２２５】
また、マスタデータ９３０を取得するためのマスタデータ要求は、例えば、所定周期ごとに自動で送信されるように構成してもよい。これにより、スマートフォン２１０＿１〜２１０＿３は、最新のマスタデータ９３０を取得することができる。
【０２２６】
また、上記第１の実施形態では、ユーザ一覧データ９２０をサーバ装置７３０が有し、実績登録アプリケーション２１１起動時の認証処理を、サーバ装置７３０が実行するものとして説明した。しかしながら、ユーザ一覧データ９２０をスマートフォン２１０に送信し、実績登録アプリケーション２１１起動時の認証処理を、スマートフォン２１０において実行するように構成してもよい。
【０２２７】
これにより、実績登録フェーズにおける、スマートフォン２１０とサーバ装置７３０との間の通信回数を減らすことが可能となる。建築設備を納入する現場の場合、通信環境が整っていないことも多いことから、実績登録フェーズにおける、スマートフォン２１０とサーバ装置７３０との間の通信回数を減らすことで、管理システム７００の利便性を向上させることができる。
【０２２８】
［第３の実施形態］
上記第１の実施形態では、各作業工程の実行主体を３つに大別し、それぞれの実行主体に、各作業工程を割り当てる構成としたが、各作業工程の実行主体は３つに限定されず、４つ以上であってもよい。なお、管理システム７００において、スマートフォンの台数及び実績登録アプリケーションの種類は、実行主体の数に応じて決定されるものとする。
【０２２９】
また、上記第１の実施形態では、システム納入業者が受取作業と検査作業と試運転作業とを行い、工事業者が仮置作業と取付作業とを行うものとして説明した。しかしながら、各作業工程の作業の割り当てはこれに限定されない。なお、各実行主体への各作業工程の作業の割り当て結果に応じて、実績登録アプリケーションにおいて選択可能な作業工程が決定されるものとする。同様に、各実行主体への各作業工程の作業の割り当て結果に応じて、各スマートフォンに送信されるマスタデータが決定されるものとする。
【０２３０】
［その他の実施形態］
上記第１の実施形態では、識別部材として、ＲＦＩＤを用いるものとして説明したが、識別部材は、近距離無線通信が可能な部材であれば、ＲＦＩＤ以外の部材であってもよい。
【０２３１】
同様に、上記第１の実施形態では、識別部材として、ＱＲコードを用いるものとして説明したが、識別部材は、ＱＲコード以外の識別子であってもよい。
【０２３２】
また、上記第１の実施形態では、出荷登録処理、取付完了登録処理、検査完了登録処理、試運転完了登録処理を実行する場合に、ＱＲコードより識別情報を読み取るものとして説明した。また、受取完了登録処理、仮置完了登録処理を実行する場合に、ＲＦＩＤより識別情報を読み取るものとして説明した。しかしながら、いずれの登録処理において、いずれの読取手段を介して識別部材より識別情報を読み取るように構成するかは任意である。
【０２３３】
また、上記第１の実施形態では、アンテナ部３２０の一方の面に緩衝材５１０を取り付けるものとして説明した。しかしながら、緩衝材５１０の取り付け位置はこれに限定されず、アンテナ部３２０を形成する領域と、資機材２５０の外面との間の位置であれば、任意の位置に取り付けてもよい。
【０２３４】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０２３５】
２１０                  ：スマートフォン
２２０                  ：ＲＦＩＤリーダ
２３０                  ：ＱＲコード
２４０                  ：ＲＦＩＤ
２５０                  ：資機材
３１０                  ：本体部
３２０                  ：アンテナ部
５１０                  ：緩衝材
７１０                  ：ＢＩＭシステム
７２０                  ：操作端末
７３０                  ：サーバ装置
９１０                  ：資機材一覧データ
９２０                  ：ユーザ一覧データ
９３０                  ：マスタデータ
１０００                ：ＢＩＭデータ
１２０１                ：認証部
１２０２                ：実績管理部
１２０３                ：表示制御部
１２０４                ：生成部
１２１１                ：ログイン部
１２１２                ：実績登録部
１４００                ：出荷登録画面
１６００                ：受取完了登録画面
１８００                ：仮置完了登録画面
１９００                ：取付完了登録画面
２０００                ：検査完了登録画面
２１００                ：試運転完了登録画面
２２０１〜２２０３      ：実績登録データ
２５００                ：一覧画面
２６００                ：履歴画面
【図１】
2019016016.tif 000003
【図２】
2019016016.tif 000004
【図３】
2019016016.tif 000005
【図４】
2019016016.tif 000006
【図５】
2019016016.tif 000007
【図６】
2019016016.tif 000008
【図７】
2019016016.tif 000009
【図８】
2019016016.tif 000010
【図９】
2019016016.tif 000011
【図１０】
2019016016.tif 000012
【図１１】
2019016016.tif 000013
【図１２】
2019016016.tif 000014
【図１３】
2019016016.tif 000015
【図１４】
2019016016.tif 000016
【図１５】
2019016016.tif 000017
【図１６】
2019016016.tif 000018
【図１７】
2019016016.tif 000019
【図１８】
2019016016.tif 000020
【図１９】
2019016016.tif 000021
【図２０】
2019016016.tif 000022
【図２１】
2019016016.tif 000023
【図２２】
2019016016.tif 000024
【図２３】
2019016016.tif 000025
【図２４】
2019016016.tif 000026
【図２５】
2019016016.tif 000027
【図２６】
2019016016.tif 000028